(57)【特許請求の範囲】
【請求項１】
対向する物体の整合、特にシャフト、ローラ等の平行整合を行う方法であり、
ａ）  少なくとも一つの光学ジャイロ（５）を備え整合させる物体（1,2,3）上に適宜に接合させる位置測定センサ（４）を使用して整合させる第一の物体（１）の位置を所与の測定面において基準位置として測定し、
ｂ）  位置測定センサ（４）を使用して所定の時間間隔内に次の物体（２または３）の一つの位置を第一の測定面と同一の面またはこれに平行な面において測定し、
ｃ）  さらに必要に応じてステップａ）およびｂ）にしたがって第一の測定面と異なった、これとの間に所定の角度、特に90゜の角度をなす第二の測定面に関して物体（1,2,3）上における位置測定を実施し、
ｄ）  続いて、必要に応じて、位置測定センサ（４）を使用して測定面内において判定された両物体（１および２または３）の位置偏移に基づいて両方の物体のうちの一つおよび／または他方に対して所要の位置修正を実施することを特徴とする方法。
【請求項２】
空間内における二つの物体の相互位置を検出するためのものであり、
ａ）  少なくとも一つの、物体上の所定の対象位置に接合させ得る外部接触面（12a−12e）を有するケース（12）を備え、
ｂ）  ケース（12）内に少なくとも一つの光学ジャイロ（11）を備え、その光学環の面（11a）が接触面（12a−12e）に対して適宜に配置されることを特徴とする位置測定センサ（10）。
【請求項３】
光学ジャイロが光ファイバジャイロであることを特徴とする請求項２記載の位置測定センサ。
【請求項４】
要素（14）により、
aa）  光学環の面（11a）の垂直に対する整合、ならびに
bb）  光学環の環平面内の基準方向に対する光学環の角度位置、
をケース（12）の外側に表示することを特徴とする請求項２または３記載の位置測定センサ。
【請求項５】
ケース（12）は相互に配置された複数の接触面（12a−12e）を備えることを特徴とする請求項２ないし４のいずれかに記載の位置測定センサ。
【請求項６】
少なくとも一つの接触面（12a）が整合させる物体のシリンダ形状または錐形の周囲部に適宜に整合するため鈍角をなす平面部分（12a′）を備えることを特徴とする請求項５記載の位置測定センサ。
【請求項７】
特に光学環の面（11a）の垂直に対する位置を測定するための下げ振り（16）をケース（12）上または内に設けることを特徴とする請求項２ないし６のいずれかに記載の位置測定センサ。
【請求項８】
データ処理のためのコンピュータ端子（13）を設けることを特徴とする請求項２ないし７のいずれかに記載の位置測定センサ。
【発明の詳細な説明】
この発明は、物体を対向して整合させる方法にかかり、特にシャフト、ローラ等を平行に整列する方法、ならびにこの方法を実施するための位置測定センサに関する。
従来は、例えば、軸、円筒、ローラ、スピンドル、回転炉等の物体、ならびにチェーン、ギア、伝達装置、製織器等の駆動要素、ならびに台座、機械床、基盤等の付属支持要素を1mm/mの精度で対向して整列する目的における角度測定に際して、経緯儀、自動視準儀、干渉計、レーザ等の光学測定装置、さらに別の補助要素としてマーキング、目標、五角形、台形、三角プリズム、鏡、検出器、三脚等を非常に時間を浪費して使用していた。
したがって、本発明の目的は、物体を対向して整列させるための角度測定に際して、従来の装置ならびに補助機器に比べて、時間的ならびに構造的なコストを極めて削減することができる方法を提供することである。
前記の課題は、請求項１に記載の特徴によって解決することができる。
従来の方式においては通常測定を実施する物体に複数の装置ならびに補助機器を相互に配置して固定し、物体と共に測定サイクルを移動させる必要があるが、本発明に係る方法においては、一つの光学ジャイロを備える取り扱いの容易なただ一つの位置測定センサを相互に整合させる二つの物体のそれぞれの少数の測定位置に対して使用し、ジャイロ角ならびに傾角を直接または電気的に読み取り、これによって所要の位置整合性を達成するために、位置修正が必要であるか、またはどのような修正が必要であるかを判定することを可能にする。このために必要な測定時間は、従来の装置ならびに補助要素を使用した際に比して極めて短いものとなる。測定時間を95％程度まで短縮することが期待できる。
本発明は、光学ジャイロが非常に小さな誤差レベルを有し、既知の光ファイバジャイロ（英文資料においてはFOGと省略されている）は約80mmの直径を有するファイバ環において平方時あたりわずか0.1゜の誤差レベルを有しており、このように小さな誤差レベルに基づいて測定センサを整合させる両方の物体に数秒の単位で接合させることにより測定値の組み合わせの獲得に際して充分に精密な測定値を得ることができることを特徴とすることに基づいており、これはこの小さな、しかしながら実用において充分なジャイロ移動時間により所定の性能を有するジャイロがわずかにμラジアン偏流し、これは殆どの測定センサに関して充分であるからである。
測定センサをより速くおよび／または頻繁にその光学ジャイロと共に移動させ得ることによって測定精度は高くなる。
さらに、本発明の別の目的は、二つの物体の相互位置を検出する位置測定センサを提供することであり、これは非常に高い角度測定精度を備えるとともに、本発明に係る方法に特に適している。
前記の別の課題は、請求項２に記載の特徴によって解決される。
下位請求項３ないし８には、請求項２に記載された位置測定センサの好適な構成形態が示されている。
次に本発明の実施例につき、添付図面を参照しながら、以下詳細に説明する。
ここで、
図１は、相互に整合させる３つの物体、ならびにこれらに順次接合させるための位置測定センサを示す概略透視図、
図２は、図１の物体の相対的角度位置を測定するために適した位置測定センサの好適な実施例を示す概略透視図である。
図１には、支持部材として機能し簡略化のため板材として示された第一の物体１と、第一の物体１に対して相互に整合させるものでありシリンダ状の外形からなる物体２および３が透視的に示されている。詳細な構造としては、物体１は機械床、物体２および３はローラとすることができ、これらのローラは機械床上にその縦軸周りで回転可能に支持され、回転軸に関して相互に平行であるとともに機械床上の基準平面に関して所定の角度位置をもって配置するものである。
この実施例において、側方前面1aが物体１上の基準平面として作用し、ローラ形状の物体２および３の縦軸は互いに平行であるとともに基準平面1aに対して平行になる。
前記の所定の整合角度位置に整合させるために必要な位置修正数値は、図１に示されるように、接触面4aを備える位置測定センサ４を順次（４−1,4−2,4−３）物体１の基準面1a、縦中心軸に平行に物体２の円筒形周囲部、および縦中心軸に平行に物体３の円筒形周囲部に接合させ、ここで、位置測定センサ４内に配置されるとともにセンサ接触面4aに対して適宜に配設された光ファイバジャイロ５のファイバ環の面5aが空間内の基準面、例えば水平面に対して平行に延在するように空間的な整合性が保持される。物体1,2および３のいずれかに接合させた後、随時、光ファイバジャイロによって測定された、ファイバ環面内の基準方向に対するジャイロ角を読み取るか、または適宜な電気信号として位置測定センサから図示されていないデータ処理装置に発振される。
光ファイバジャイロは、単位時間当たりの偏流角度が極めて小さいことを特徴とする。現在において実質的に平方根秒当たり数μラジアンの偏流角を達成することができ、したがって、位置測定センサを10ないし20秒程度の時間間隔において物体1,2、および３の間で移動および計測させることに留意すれば、測定行程におけるジャイロ角表示の精度が実用における略全てのケースにおいて充分に良好なものとなる。ここで、例えば、まず物体１の物体面1a上の基準位置、次に物体２の周囲面上の位置測定、さらに再び物体面1a上の基準位置測定、続いて新たに物体３の周囲面上の位置測定を実施することができ、ここで各移動に対してあらかじめ設定された時間間隔が割り当てられる。
空間内における物体1,2および３の互いの整合性を検出するために、基準面に平行な所定の位置測定センサ４の空間内角度位置において物体1,2および３上における別の基準および状態位置測定を実施する必要があり、この際の基準面は最初の測定に使用された基準面に対して例えば90゜の角度を有する。
図２は、本発明に係る測定方法の実施に特に適した位置測定センサ10を透視的に示した概略図であり、図１の物体1,2および３の角度測定における位置測定センサ４として使用することができる。この測定センサ10は光学ジャイロ11、特に光ファイバジャイロを備えており、これは専用ケース12内に固定されている。この専用ケース12は、互いに平行なペアからなるとともに、接合するペアが互いに垂直である４つの接触面12a−12d、ならびに前記の全ての接触面に対して垂直な別の接触面12eを備えている。接触面12a−12eに関する“互いに垂直”および“互いに直角”という記載は、一様に平滑な平面ではなく、鈍角をもって接続する二つの分割された平面部分、例えば12a′からなる場合にも有効である。光学ジャイロを位置測定センサ10内の所定の固定位置に取り付けるため、その光環、ここではファイバ環の面11aも、位置測定センサ10のケース12の接触面12a−12eに対して所定の方式で配置される。
さらに、位置測定センサ10は、測定目的および測定データ処理のためのコンピュータ端子13、ジャイロ角および傾角のディスプレイ14、ゼロスイッチおよびディスプレイ切り替えスイッチ15、ならびに垂直に対する位置測定センサ10の角度を検出するための高精度の二重動作傾度計16を備えている。
コンピュータ端子13は、位置測定センサの各状態におけるジャイロ角および傾角のデータを図示されていないコンピュータに伝送し、このコンピュータはこれらのデータから修正値を算出し、これは相互に整合させる物体1,2および３を所要の整合位置に移動させるのに必要である。
本発明に係る方法ならびに本発明の位置測定センサによれば、物体軸、物体表面等、さらに互いに平行ではなく他の方式、例えば互いに垂直にも、非常に簡便かつ正確に短時間で整合させることができる。
原則的に、光学ジャイロとしてレーザジャイロを使用することもできる。
【図１】
0003583786.tif 000002
【図２】
0003583786.tif 000003